(57)【要約】【課題】  呼び出しを行った患者以外の患者の状態や病室内の患者の人数を把握しつつ、液晶廊下灯などの廊下灯の表示部に表示される患者の個人情報を保護することができるようにする。【解決手段】  ナースコール子機１により呼び出し操作が行われた場合に、呼び出し操作を行った患者以外の患者の氏名に対応する事前に登録した表示内容を廊下灯１０の表示部１５に表示するようにしているので、呼び出し操作を行った患者以外の患者の氏名が異なる形で表示され、患者の個人情報を保護することができると共に、呼び出しが行われた際に、患者の氏名以外の患者情報が表示され、看護師は、患者の状態や病室内の患者の人数を把握することができる。【選択図】        図１
2007228985.tif 000002
【特許請求の範囲】
【請求項１】
発呼者による操作により呼び出し信号を出力する呼び出し操作部と、前記呼び出し操作部により呼び出し操作が行われた場合に、呼び出し信号を出力する呼び出し信号出力部とを備えた子機と、
前記呼び出し信号出力部から出力された前記呼び出し信号を入力する呼び出し信号入力部と、患者の個人情報を含む患者情報を表示する表示部と、前記患者の数に応じた複数の表示領域に前記患者情報を前記表示部にそれぞれ表示すると共に、前記呼び出し信号入力部が前記呼び出し信号を入力した場合に、少なくとも前記発呼者以外の患者の患者情報のうち前記患者の個人情報に関連付けて事前に登録した内容を前記患者の個人情報の代わりに前記表示部に表示させる表示制御部とを備えた廊下灯と、
を有するナースコールシステム。
【発明の詳細な説明】
【技術分野】
【０００１】
本発明は、病院や介護施設などで患者や被介護者からの要求に応じて看護師や介護者を呼び出すナースコールシステムに関する。
【背景技術】
【０００２】
従来、ナースコールシステムでは、患者や被介護者の近辺（例えば、ベッド近傍など）に設置されたナースコール子機及び看護師や介護者の居る部屋などに設置されたナースコール親機を有線や無線などにより接続している。また、ナースコール子機とナースコール親機との間には廊下灯が接続されている。
【０００３】
ここで、廊下灯は、病室などの部屋の壁面に取り付けられている。また、廊下灯は、病室の番号や患者の氏名などを表示している。また、廊下灯は、ナースコール親機と連動しており、ベッド近傍に設置されたナースコール子機により患者や被介護者が呼び出しを行うと、ナースコール子機は、ナースコール親機や看護師や介護者が携帯する無線端末装置に呼び出しを通知すると共に、廊下灯を点灯させる。また、看護師や介護者は、廊下灯の点灯によって、呼び出しを行った患者や被介護者が居る部屋を特定することができる。
【０００４】
ところで、タッチパネル付きの液晶ディスプレイにより廊下灯の表示部を構成し、タッチパネルをタッチしたときに患者氏名などの患者情報を一定時間表示する技術が知られている（例えば、特許文献１など）。
【特許文献１】特開平１０−１９２３４９号公報
【０００５】
しかしながら、この特許文献１に記載の技術では、病室内に複数のベッドが存在するような場合に、廊下灯の表示部に複数の患者氏名が表示されるので、患者の個人情報を必要以上に露出してしまうという問題点があった。
【０００６】
このような問題を解決するために、一つの液晶廊下灯に複数の患者の患者情報を表示する場合に、患者の数に応じた患者個々の表示領域を設け、呼び出しを行った患者の表示領域のみに患者情報を表示する技術が知られている（例えば、特許文献２など）。
【特許文献２】特開２００６−２１０２９号公報
【０００７】
しかしながら、この特許文献２に記載の技術では、呼び出しを行った患者の表示領域以外には何も表示されないので、看護師や介護者は、その他の患者の状態（例えば、救護区分など）や病室内の患者の人数（空床か否かなどにより判断する）を把握することができず不便になってしまうという問題点があった。
【発明の開示】
【発明が解決しようとする課題】
【０００８】
本発明は、このような問題を解決するために成されたものであり、呼び出しを行った患者以外の患者の状態や病室内の患者の人数を把握しつつ、液晶廊下灯などの廊下灯の表示部に表示される患者の個人情報を保護することができるようにすることを目的とする。
【課題を解決するための手段】
【０００９】
上述した課題を解決するために、本発明では、ナースコール子機により呼び出し操作が行われた場合に、少なくとも呼び出し操作を行った患者以外の患者の氏名を事前に登録した内容にて廊下灯の表示部に表示するようにしている。
【発明の効果】
【００１０】
上記のように構成した本発明によれば、少なくとも呼び出し操作を行った患者以外の患者の氏名が異なる形で表示されるので、患者の個人情報を保護することができる。また、呼び出しが行われた際に、患者の氏名以外の患者情報が表示されるので、看護師は、患者の状態や病室内の患者の人数を把握することができる。
【発明を実施するための最良の形態】
【００１１】
以下、本発明の一実施形態を図面に基づいて説明する。図１は、本実施形態によるナースコールシステムの構成例を示すブロック図である。図１に示すように、本実施形態によるナースコールシステムは、ナースコール子機１、廊下灯１０、及び、図示しないナースコール親機を備えて構成されている。
【００１２】
また、ナースコール子機１は、操作部２、呼び出し信号出力部３を備えて構成されている。また、廊下灯１０は、呼び出し信号入力部１１、制御部１２、データ記憶部１３、表示制御部１４、表示部１５、患者情報設定操作部１６を備えて構成されている。
【００１３】
図１において、ナースコール子機１は、患者や被介護者（以下、まとめて患者と記載する）が在室する部屋（以下、病室と記載する）内などのベッドなどに取り付けられており、伝送線を介して廊下灯１０に接続されている。ここで、複数のナースコール子機１は、一つの廊下灯１０に対して識別可能に接続されている。なお、ナースコール子機１と廊下灯１０とが１：１で接続されていても良い。
【００１４】
廊下灯１０は、病室毎に設けられており、伝送線を介して図示しないナースコール親機に接続されている。ここで、複数の廊下灯１０は、一つのナースコール親機に対して識別可能に接続されている。
【００１５】
操作部２は、患者による操作により呼び出し信号を生成する。ここで、操作部２は、患者の操作により呼び出し信号を生成する図示しない呼び出し信号生成部を含む。患者は、看護師を呼び出したい場合に、操作部２を操作する。子機呼び出し信号出力部３は、操作部２により生成された呼び出し信号を操作部２から入力し、廊下灯１０に出力する。
【００１６】
呼び出し信号入力部１１は、呼び出し信号出力部３から出力された呼び出し信号を入力し、制御部１２に出力する。制御部１２は、廊下灯１０の各構成要素を制御する。データ記憶部１３は、廊下灯１０が設置された病室に入院している患者の患者情報を患者の位置情報（例えば、ベッド番号などの病室内におけるベッド位置を特定する情報）と共に記憶する。
【００１７】
ここで、患者情報としては、少なくとも患者の氏名や年齢、病名、アレルギー症の有無、血液型、担当医師、担当看護師、救護区分（担送、護送、独歩）などがある。救護区分の担送とは、担架などにより移送しなければならない患者を示す。また、救護区分の護送とは、車いすや介助歩行などで移動できる患者を示す。また、救護区分の独歩とは、自力で歩行して移動できる患者を示す。
【００１８】
本実施形態では、患者の個人情報を保護するための情報として患者の氏名を、それ以外の患者情報として救護区分を例示する。ここで、救護区分を表示する場合には、例えば、担送を赤、護送を黄、独歩を青で表示する。また、制御部１２は、ナースコール親機から入力した患者情報及び位置情報をデータ記憶部１３に予め記録しておく。なお、患者情報及び位置情報が必要になる度にナースコール親機から患者情報及び位置情報を入力するようにすれば、データ記憶部１３は不要となる。
【００１９】
表示制御部１４は、データ記憶部１３に記憶されている患者情報に基づいて、図２に示すような患者情報を示す画像を表示部１５に表示することができる。表示部１５は、液晶パネルなどにより構成されており、表示制御部１４にて生成された画像を表示する。また、表示制御部１４は、呼び出し信号入力部１１が呼び出し信号を入力すると、呼び出しが行われたことを示す表示制御を行う。
【００２０】
具体的には、表示制御部１４は、患者情報を示す画像を赤や黄、青などの目立つ色に着色して表示部１５に表示したり、患者情報を示す画像の枠を着色して表示部１５に表示したりすることにより呼び出しが行われたことを示す。また、表示制御部１４は、呼び出しが行われた後に図示しない復旧ボタンが操作された場合に、元の表示に戻す。ここで、復旧ボタンは、呼び出し動作を停止して元の状態に復旧させる操作を行うボタンである。
【００２１】
制御部１２は、呼び出し信号入力部１１から呼び出し信号を入力していない場合（換言するとナースコール子機１により呼び出しが行われていない場合）に、下記の動作を行う。制御部１２は、廊下灯１０が設置されている病室内の全ての患者の患者情報（ここでは、患者の氏名及び救護区分）を位置情報と共にデータ記憶部１３から読み出して表示制御部１４に出力する。
【００２２】
表示制御部１４は、図２（Ａ）に示すように、複数の患者の患者情報を表示部１５に表示する際に、表示領域を患者の数で分割して表示部１５に表示する。ここで、患者の数は、廊下灯１０が設置されている病室内に収容可能な患者の数（換言するとベッドの数）である。図２（Ａ）では、４名の患者（「○○  ○○」、「××  ××」、「△△  △△」、「□□  □□」）が存在する。
【００２３】
患者情報設定操作部１６は、呼び出しを行った患者以外の患者の氏名に対応する内容を表示部１５に表示するための設定を行う。例えば、患者の氏名の代わりに患者のニックネームや患者のイニシャル、患者のベッド番号などを表示させる。また、患者の氏名を非表示と設定する。ここで、患者の氏名に対応して表示する内容は、患者の要望などにより決定する。
【００２４】
具体的には、図３に示すように、患者情報設定操作部１６は、患者の氏名である「○○  ○○」に対して、ベッド番号である「４０１」を対応付けてデータ記憶部１３に記録する。また、患者情報設定操作部１６は、患者の氏名である「××  ××」に対して、患者のニックネームである「ＢＢ  ＢＢ」を対応付けてデータ記憶部１３に記録する。また、患者情報設定操作部１６は、患者の氏名である「△△  △△」に対して、患者のイニシャルである「Ｓ．Ｓ．」を対応付けてデータ記憶部１３に記録する。また、患者情報設定操作部１６は、患者の氏名である「□□  □□」に対して、空白の表示を対応付けてデータ記憶部１３に記録する。
【００２５】
このような状態において、ある患者（特許請求の範囲の発呼者に該当する）によりナースコール子機１の操作部２が操作されて呼び出しが行われると、操作部２は、呼び出し信号を生成して呼び出し信号出力部３に出力する。呼び出し信号出力部３は、操作部２から入力した呼び出し信号を廊下灯１０に出力する。
【００２６】
呼び出し信号入力部１１がナースコール子機１から呼び出し信号を入力すると、制御部１２は、廊下灯１０が呼び出し状態になったと判断する。また、廊下灯１０が呼び出し状態であると制御部１２にて判断した場合に、制御部１２は、呼び出しを行った患者以外の患者を特定し、データ記憶部１３から各患者に対応する表示内容を読み出して表示制御部１４に出力する。表示制御部１４は、図２（Ｂ）に示すように、呼び出しを行った患者以外の患者の表示をそれぞれ対応する表示内容に切り替えて表示部１５に表示する。
【００２７】
次に、本実施形態によるナースコールシステムの動作及び患者情報表示方法を説明する。図４は、本実施形態によるナースコールシステムの動作及び患者情報表示方法を示すフローチャートである。まず、ナースコール子機１にて、操作部２が操作されたか否か（呼び出し信号が出力されているか否か）を呼び出し信号出力部３にて調べる（ステップＳ１）。操作部２が操作されていないと呼び出し信号出力部３にて判断した場合には（ステップＳ１にてＮＯ）、ステップＳ１の処理を繰り返す。
【００２８】
一方、操作部２が操作されたと呼び出し信号出力部３にて判断した場合には（ステップＳ１にてＹＥＳ）、呼び出し信号出力部３は、呼び出し信号を廊下灯１０に出力する（ステップＳ２）。
【００２９】
廊下灯１０では、制御部１２が病室内の人数分の患者情報を位置情報と共にデータ記憶部１３から読み出して表示制御部１４に出力する。表示制御部１４は、図２（Ａ）に示すように、複数の患者の患者情報を表示部１５に表示する際に、表示領域を患者の数で分割して通常の表示を行う（ステップＳ３）。
【００３０】
この状態において、廊下灯１０では、呼び出し信号入力部１１が呼び出し信号を入力したか否かを制御部１２にて調べる（ステップＳ４）。呼び出し信号入力部１１が呼び出し信号を入力していないと制御部１２にて判断した場合には（ステップＳ４にてＮＯ）、ステップＳ３の処理に戻る。
【００３１】
一方、呼び出し信号入力部１１が呼び出し信号を入力したと制御部１２にて判断した場合には（ステップＳ４にてＹＥＳ）、制御部１２は、呼び出しを行った患者以外の患者を特定し、データ記憶部１３から各患者に対応する表示内容を読み出して表示制御部１４に出力する。表示制御部１４は、図２（Ｂ）に示すように、呼び出しを行った患者以外の患者の表示をそれぞれ対応する表示内容に切り替えて表示部１５に表示する（ステップＳ５）。
【００３２】
そして、制御部１２は、図示しない復旧ボタンが操作されたか否かを調べる（ステップＳ６）。復旧ボタンが操作されていないと制御部１２にて判断した場合には（ステップＳ６にてＮＯ）、ステップＳ５の処理に戻る。一方、復旧ボタンが操作されたと制御部１２にて判断した場合には（ステップＳ６にてＹＥＳ）、ステップＳ３に戻る。
【００３３】
以上詳しく説明したように、本実施形態によれば、ナースコール子機１により呼び出し操作が行われた場合に、呼び出し操作を行った患者以外の患者の氏名に対応する事前に登録した表示内容を廊下灯１０の表示部１５に表示するようにしている。これにより、呼び出し操作を行った患者以外の患者の氏名が異なる形で表示されるので、患者の個人情報を保護することができる。また、呼び出しが行われた際に、患者の氏名以外の患者情報が表示されるので、看護師は、患者の状態や病室内の患者の人数を把握することができる。
【００３４】
なお、前述した実施形態では、呼び出し操作を行った患者以外の患者の氏名に対応する事前に登録した表示内容を廊下灯１０の表示部１５に表示するようにしているが、これに限定されない。例えば、呼び出し操作を行った患者についても患者の氏名に対応する事前に登録した表示内容を廊下灯１０の表示部１５に表示するようにしても良い。具体的には、呼び出し操作が行われていない状態（図５（Ａ））から呼び出し操作が行われた状態に移行すると、図５（Ｂ）に示すように、表示制御部１４は、呼び出しを行った患者（ここでは、「○○  ○○」）も対応する表示内容（ここでは、ベッド番号である「４０１」）に切り替えて表示部１５に表示する。これにより、患者の個人情報をより強固に保護することができる。
【００３５】
また、前述した実施形態では、呼び出しが行われていない状態において、病室内の患者情報が表示部１５に表示されているが、これに限定されない。例えば、表示部１５をタッチパネルにより構成し、看護師がタッチパネルに表示したときのみ患者情報が表示部１５に表示されるようにしても良い。具体的には、呼び出しが行われていない状態では、表示部１５には何も表示されていなかったりスクリーンセーバーが表示されたりして、患者情報が表示されていない。この状態で、看護師が表示部１５のタッチパネルに触れると、病室内の患者の患者情報が表示部１５に表示される。また、患者により呼び出しが行われると、図２（Ｂ）や図５（Ｂ）に示すように、患者の氏名に対応する表示内容が表示部１５に表示される。これにより、患者の個人情報を更に強固に保護することができる。
【００３６】
また、このような場合において、表示部１５をタッチパネルにより構成する代わりに、表示部１５の表示／非表示を切り替えるボタンを設けても良い。また、看護師の接近を検出するセンサーを設け、センサーによる検出の有無により表示／非表示を切り替えるようにしても良い。
【００３７】
また、前述した実施形態では、患者の氏名と患者の氏名に対応する表示内容とを関連付ける操作を行うための患者情報設定操作部１６を廊下灯１０に設けているが、これに限定されない。例えば、患者情報設定操作部１６をナースコール子機１やナースコール親機に設けても良い。
【００３８】
また、前述した実施形態では、全ての患者の氏名と患者の氏名に対応する表示内容とを関連付けて設定しているが、これに限定されない。例えば、患者自身が氏名の表示を許可した場合には、設定しなくても良い。
【００３９】
その他、上記実施形態は、本発明を実施するにあたっての具体化の一例を示したものに過ぎず、これによって本発明の技術的範囲が限定的に解釈されてはならないものである。すなわち、本発明はその精神、またはその主要な特徴から逸脱することなく、様々な形で実施することができる。
【産業上の利用可能性】
【００４０】
本発明は、病院や介護施設などで患者や被介護者からの要求に応じて看護師や介護者を呼び出すナースコールシステムに有用である。
【図面の簡単な説明】
【００４１】
【図１】本実施形態によるナースコールシステムの構成例を示すブロック図である。
【図２】本実施形態によるナースコールシステムの廊下灯の表示画面の例を示す図である。
【図３】本実施形態によるナースコールシステムのデータ記憶部に記憶される患者氏名とそれに対応して表示する内容の例を示す図である。
【図４】本実施形態によるナースコールシステムの動作及び患者情報表示方法を示すフローチャートである。
【図５】本実施形態によるナースコールシステムの廊下灯の表示画面の変形例を示す図である。
【符号の説明】
【００４２】
１    ナースコール子機
２    操作部
３    呼び出し信号出力部
１０    廊下灯
１１    呼び出し信号入力部
１２    制御部
１３    データ記憶部
１４    表示制御部
１５    表示部
１６    患者情報設定操作部
【図１】
2007228985.tif 000003
【図２】
2007228985.tif 000004
【図３】
2007228985.tif 000005
【図４】
2007228985.tif 000006
【図５】
2007228985.tif 000007